(57)【要約】超音波画像化システム（１０）は、超音波画像を表示するディスプレイ（１６）と、画像ディスプレイに動作上接続される解析パッケージとを有する。解析パッケージは、ユーザに超音波測定に基づく計算を管理する能力を提供する。解析パッケージは、データ入力ステップの手順をユーザに表示することによって、測定に基づく計算の管理を容易にする。計算を管理するために必要な情報は、夫々のステップで受け取られて確認され、次いで、次にどのステップを表示すべきかを決定するためにも使用される。最後のステップの終わりに、測定に基づく計算はシステムに記憶される。
2009509614.tif 000002
【特許請求の範囲】
【請求項１】
超音波診断システムにおいて、超音波測定に基づく計算を管理する方法であって：
前記超音波測定に基づく計算を管理するために必要な複数の操作の夫々をグループから表示する段階；
夫々の操作において、前記超音波測定に基づく計算を管理するために必要なユーザからの情報を受け取る段階；
前記グループにおける他の操作を表示する前に、夫々の操作において前記受け取った情報を確認する段階；
前記グループにおける操作のどれが次の操作で表示されるべきかを決定するよう、現在の操作において受け取られて確認された前記情報を使用する段階；及び
最後の操作の終わりに、前記測定に基づく計算の変更を当該システムに記憶する段階；
を有する方法。
【請求項２】
前記ユーザからの情報を受け取る段階は、少なくとも１つの更なる操作を前記グループに加える前記ユーザからの情報を受け取る段階を有する、請求項１記載の方法。
【請求項３】
前記ユーザからの情報を受け取る段階は、前記ユーザがコマンドのグループにおける少なくとも１つの操作を飛ばすことを可能にする前記ユーザからの情報を受け取る段階を有する、請求項１記載の方法。
【請求項４】
前記ユーザからの情報を受け取る段階は、前記測定に基づく計算の精度又は単位を特定する前記ユーザからの情報を受け取る段階を有する、請求項１記載の方法。
【請求項５】
少なくとも１つの測定に基づく計算は、ユーザによって行われるカスタムの画像測定を含む、請求項４記載の方法。
【請求項６】
コマンドのグループは、測定に基づく計算の生成、編集、複製又は削除を行うために必要な操作を有する、請求項１記載の方法。
【請求項７】
少なくとも１つの測定に基づく計算は数学演算子を含む、請求項１記載の方法。
【請求項８】
少なくとも１つの測定に基づく計算は画像測定を含む、請求項１記載の方法。
【請求項９】
少なくとも１つの画像測定は、ユーザによって行われるカスタムの画像測定を含む、請求項８記載の方法。
【請求項１０】
前記受け取った情報を確認する段階は、受け取った全ての情報が有効な文字を有することを確認する段階を有する、請求項１記載の方法。
【請求項１１】
前記受け取った情報を確認する段階は、受け取った全ての情報が多すぎる文字から成らないことを確認する段階を有する、請求項１記載の方法。
【請求項１２】
前記受け取った情報を確認する段階は、受け取った全ての情報が正確な／有効な数学的シンタックスを有することを確認する段階を有する、請求項１記載の方法。
【請求項１３】
超音波画像を表示する超音波画像ディスプレイ；及び
コンピュータ読取可能な媒体に記憶され、前記画像ディスプレイへ動作上接続される解析パッケージであって、ユーザに超音波測定に基づく計算を管理する能力を提供する解析パッケージ；
を有し、
前記解析パッケージは：
前記超音波測定に基づく計算を管理するために必要な複数の操作の夫々をコマンド群から表示し；
夫々の操作において、前記超音波測定に基づく計算を管理するために必要なユーザからの情報を受け取り；
前記コマンド群における他の操作を表示する前に、夫々の操作において前記受け取った情報を確認し；
前記コマンド群における操作のどれが次の操作で表示されるべきかを決定するよう、現在の操作において受け取られて確認された前記情報を使用し；且つ
最後の操作の終わりに、前記測定に基づく計算の変更を当該システムに記憶する；
よう構成される、超音波診断システム。
【請求項１４】
前記解析パッケージは、当該超音波診断画像化システムによって生成される画像データに対応するハードウェア及びソフトウェアを有する、請求項１３記載の超音波診断システム。
【請求項１５】
前記解析パッケージは、特定の種類の診断用アプリケーションのために構成され得る、請求項１３記載の超音波診断システム。
【請求項１６】
前記特定の種類の診断用アプリケーションは、ＯＢ、ＧＹＮ、一般的なイメージング、血管又は心臓病学のうちの１つを有する、請求項１５記載の超音波診断システム。
【請求項１７】
前記特定の種類の診断用アプリケーションはＯＢを有し、
検査プロトコルは胎児検査プロトコルを有する、請求項１５記載の超音波診断システム。
【請求項１８】
超音波診断システムにおいて、超音波測定に基づく等式を生成及び管理する方法であって：
少なくとも１つの測定に基づく等式を生成又は管理するために必要な複数のステップの夫々をコマンドシーケンスから表示する段階；
夫々のステップで、前記測定に基づく等式を生成又は管理するために必要なユーザからの情報を受け取る段階；
前記受け取った情報を確認する段階；及び
前記測定に基づく等式に関する前記受け取られて確認された情報を当該システムに記憶する段階；
を有する方法。
【請求項１９】
前記ユーザからの情報を受け取る段階は、少なくとも１つの更なるステップを前記コマンドシーケンスに加える前記ユーザからの情報を受け取る段階を有する、請求項１８記載の方法。
【請求項２０】
前記ユーザからの情報を受け取る段階は、前記ユーザが前記コマンドシーケンスにおいて少なくとも１つのステップを飛ばすことを可能にする前記ユーザからの情報を受け取る段階を有する、請求項１８記載の方法。
【請求項２１】
前記ユーザからの情報を受け取る段階は、前記測定に基づく等式の精度又は単位を特定する前記ユーザからの情報を受け取る段階を有する、請求項１８記載の方法。
【請求項２２】
コマンドシーケンスは、測定に基づく等式の生成、編集、複製又は削除を行うために必要なステップを有する、請求項１８記載の方法。
【発明の詳細な説明】
【技術分野】
【０００１】
本発明は、医療用の超音波画像化システムに関し、より具体的には、測定に基づく計算の生成及び管理を可能にする超音波画像化システムにおけるユーザインターフェースに関する。
【背景技術】
【０００２】
超音波画像化システムは、通常は、視覚ツールを有する。これによって、超音波診断士は、超音波画像に示された生体構造を測定し、かかる測定から値及び評価を計算する。このような測定及び計算は、超音波画像が表示され得る空間的に正確なディメンジョン及びスケーリングの故に、定量化された測定である。
【０００３】
このような測定ツール及び解析ツールの典型的な使用は、産科検査のために構成された超音波システムで見うけられる。例えば、産科画像は、発育途上の胎児の頭部、腹部及び四肢のような生体構造を示すことができる。このような解剖学的特徴は、測定ツールを用いて特徴部の上及び周囲にマーカー及び形状を配置することによって測定され得る。例えば長さ及び面積のような測定は、画像に配置された又は描かれたマーカー及び形状から決定され得る。測定の幾つかは、例えば、帝王切開出産が必要であるかどうかを頭囲から決定するなど、直接的に診断に用いられ得る。測定は、また、例えば、推定される妊娠期間及び胎児体重のような、発育途上の胎児の他の特性を計算するためにも使用され得る。従って、かかる測定及び計算を行う能力は、母親及び赤ん坊の両方に対する適切な看護及び治療の助けとなる。
【０００４】
より高度な超音波システム、具体的には、様々な臨床応用のために構成され得る超音波システムは、しばしば、多数の測定及び計算を実行する能力を備えている。当該技術でよく知られているように、このようなシステムは、通常は、測定及び計算の初期設定リストを単純に指定することよりも大きな自由度及び汎用性を有する。このような先行技術によるシステムは、通常は、超音波診断士が、超音波システムで製造者によって提供されないカスタムな測定及び計算を含むカスタムプロトコルを設計することを可能にする。この有用な特徴は、超音波システム及びその変形例により提供される測定及び計算のみの限定的な使用から超音波診断士を解放し、研究者が、彼らの患者集団の人口統計により良く適応する自身の新しく且つより正確な測定及び計算を開発することを可能にする。
【発明の開示】
【発明が解決しようとする課題】
【０００５】
しかし、先行技術のシステムにおけるユーザインターフェースの限界に起因して、カスタムなプロトコル、測定及び計算の開発及び実施は、扱いにくく且つ直感的でない。このような先行技術によるシステムで、カスタムな計算を生成するために超音波診断士に提供されるユーザインターフェースは、通常は、モノリシック構造であり、多数のデータ領域を有する単一の画面を特徴とする。そして、特定の操作を完了するために必要とされる領域と、必要とされない領域とがある。どの領域が実際に必要とされるかは、一見して分からない。このようなインターフェースは、直感的でなく、カスタムな計算を生成又は編集するために如何にインターフェースを使用すべきかを覚える負担を超音波診断士に課す。
【０００６】
従って、カスタムな計算を生成するためのより能率的且つ直感的な方法及びインターフェースを超音波診断士に提供するシステムが必要である。
【課題を解決するための手段】
【０００７】
本発明は、カスタムな測定に基づく計算を生成及び管理するための医療用超音波システム及び方法を対象とする。超音波診断士は、内臓及び血管の画像を形成するために、このような装置を用いる。形成された画像はスクリーン上に表示される。超音波装置は、超音波診断士に、これらの画像の構成要素のオンスクリーン測定を行う能力を提供する。その場合に、かかる測定は、臨床目的及び診断目的のために有用な様々な計算を導き出すために使用され得る。通常、医療用の超音波装置は、デフォルト設定で、多数のこのような計算を提供する。超音波画像化システム及び方法は、製造者によって提供される測定及び計算を越えて、新しいカスタムな測定及び計算を生成及び管理するためのユーザインターフェースを提供する。当該システム及び方法は、カスタムな計算で実行されるいずれかの特定の管理機能に必要とされる操作の順次表示を提供する。当該システム及び方法は、更に、超音波診断士が情報を入力することを要する。この情報は、次の入力操作の前に、一貫性及び正確なシンタックスを確認される。更に、当該システム及び方法は、どの操作を超音波診断士が次に提示されるかを決定するために、いずれかの特定の操作において、集めた情報を使用する。最後に、当該システム及び方法は、超音波診断士が、後の呼び出しのために、カスタムな計算を当該システムに記憶させることを可能にする。このように管理タスクを別個の基本ステップに簡単化することは、カスタムな計算を生成するための能率的且つ直感的な方法及びインターフェースを提供することによって、超音波診断士の能率を改善する。夫々の入力画面は、ユーザが、かかる操作のためのシステムマニュアルを絶えず参照する必要がないように、十分な量のヘルプ及びガイダンスを有して設計され得る。
【発明を実施するための最良の形態】
【０００８】
本発明の一例に従う超音波画像化システム１０は図１に表される。システム１０は、システム１０の電子回路のほとんどを含むシャーシ１２を有する。シャーシ１２はカート１４に載せられており、ディスプレイ１６はシャーシ１２に載せられている。撮像プローブ２０は、シャーシ１２上で３つのコネクタ２６のうちの１つへケーブル２２によって接続されている。シャーシ１２は、全体として参照番号２８によって示されるキーボード及びコントロール部を有し、これは、超音波診断士が超音波システム１０を操作し、実施中の検査の種類又は患者に関する情報を入力することを可能にする。コントロールパネル２８の後ろにはタッチスクリーンディスプレイ１８がある。タッチスクリーンディスプレイ１８上には、プログラム可能なソフトキーが、システム１０の動作を制御する際にキーボード及びコントロール部２８を補うために表示される。
【０００９】
動作において、撮像プローブ２０は、患者（図示せず。）の皮膚に対して置かれ、その皮膚の近くの体積領域における血管又は組織の画像を取得すべく固定される。画像はディスプレイ１６上に提示され、２つの付属棚３０のうちの１つに配置されるレコーダ（図示せず。）によって記録されても良い。システム１０は、また、テキスト及び画像を含むレポートの記録又は印刷をすることもできる。画像に対応するデータは、また、例えばインターネット又はローカルエリアネットワークのような適切なデータリンクを介してダウンロードされ得る。ディスプレイ上に画像を形成するためにプローブ２０を使用することに加えて、超音波画像化システム１０は、また、例えばグラフ及びレポートのような他の種類の情報を提供することもでき、他の種類の画像を提供するよう他の種類のプローブ（図示せず。）に対応することもできる。
【００１０】
超音波画像化システム１０の電気部品は図２に表される。上述されるように、超音波撮像プローブ２０は、コネクタ２６の１つへケーブル２２によって結合されている。ケーブル２２は、従来設計の超音波信号経路４０へ接続されている。当該技術でよく知られているように、超音波信号経路４０は、電気信号をプローブ２０へ結合する送信器（図示せず。）と、超音波エコーに対応するプローブ２０からの電気信号を受け取る捕捉ユニット（図示せず。）と、例えば、特定の深部からの応答を分離したり、血管を流れる血液からの応答を分離したりといった様々な機能を実行すべく捕捉ユニットからの信号を処理する信号処理ユニット（図示せず。）と、信号処理ユニットからの信号をディスプレイ１６による使用に適するよう変換する走査変換器（図示せず。）とを有する。本例の処理ユニットは、スペクトル・ドップラー体積画像を含む様々なＢモード及びドップラー体積画像の生成のために、Ｂモード（スペクトル）信号及びドップラー信号の両方を処理することができる。超音波信号経路４０は、また、処理ユニット５０の動作を制御するために、処理ユニット５０とインターフェース接続をされる制御モジュール４４を有する。超音波信号経路４０は、当然に、上述されたもの以外の構成要素を有しても良く、適当な例では、前出の構成要素のうちの幾つかは削除され得る。
【００１１】
処理ユニット５０は、２、３例を挙げると、中央演算処理装置（ＣＰＵ）５４と、ランダムアクセスメモリ（ＲＡＭ）５６と、読出専用メモリ（ＲＯＭ）５８とを含む、多数の構成要素を有する。当該技術でよく知られているように、ＲＯＭ５８は、ＣＰＵ５４によって実行される命令のプログラムと、ＣＰＵ５４による使用のための初期設定データとを記憶する。ＲＡＭ５６は、ＣＰＵ５４による使用のためのデータ及び命令の一時記憶を提供する。処理ユニット５０は、例えば、システム１０によって取得された超音波画像に対応するデータのようなデータの永久的な記憶のための、例えばディスクドライブ６０のような大容量記憶装置とインターフェース接続をされている。しかし、このような画像データは、最初は、超音波信号経路４０と処理ユニット５０との間に延在する信号経路６６へ結合された画像記憶装置６４に格納される。望ましくは、ディスクドライブ６０は、また、様々な超音波検査のガイドを超音波診断士に行うべく呼び出されて起動され得るプロトコルを記憶する。
【００１２】
処理ユニット５０は、また、キーボード及びコントロール部２８ともインターフェース接続をされる。キーボード及びコントロール部２８は、また、超音波システム１０に検査の終わりに自動生成レポートを作成させるよう超音波診断士によって操作され得る。望ましくは、処理ユニット５０は、テキスト及び１又はそれ以上の画像を含むレポートを印刷するレポートプリンタ８０とインターフェース接続をされる。プリンタ８０によって提供されるレポートの種類は、特定のプロトコルの実行によって実施された超音波検査の種類に依存する。最後に、上述されたように、画像に対応するデータは、例えばネットワーク７４又はモデム７６のような適切なデータリンクを介して、臨床情報システム７０又は他の装置へダウンロードされ得る。
【００１３】
本発明の一例に従うカスタムな計算を行うための手順は、図３ａ乃至３ｅに表される。図３ａは、カスタムな計算を生成する際の第１のステップを示す超音波画像画面を表す。本例では、超音波診断士は、上述されたように、タッチスクリーンディスプレイ１８上の所定のソフトキーを軽くたたくことによって、この手順を開始することができる。超音波診断士は、ＣＡＬＣ  ＬＡＢＥＬの領域９０にラベルを入力し、次いで、ＮＥＸＴボタン１１０をクリックしなければならない。また、ＣＡＮＣＥＬボタン１００及びＦＩＮＩＳＨボタン１２０が表されている。この計算生成処理の段階では、何も入力されず、また、有効であると確認もされないので、等式を終了して記憶することはできない。従って、ＦＩＮＩＳＨボタン１２０は非アクティブである。ＣＡＮＣＥＬボタン１００は、手順全体を完全にキャンセルする働きをする。超音波診断士がＮＥＸＴボタン１１０をクリックした後に、しかし、次の画面が表示される前に、システムは、ラベルが一意であって、１６文字よりも少ないことを確認する。情報が確認されると、次のステップが、図３ｂに表されるように、表示される。
【００１４】
図３ｂは、カスタムな計算を生成する際の第２のステップを示す超音波画像画面を表す。このステップでは、超音波診断士は、ＣＡＬＣ領域１４０で、有効であるカスタムな等式を生成する。超音波診断士は、キーボード及び／又はオンスクリーン・タッチキーパッド１８０を用いて、ＣＡＬＣ領域１４０に直接的に等式を入力することができる。等式は、また、システムによって計算された又はシステムに記憶された他の計算若しくは測定の結果を含んでも良い。例えば、超音波診断士は、最初にＣＡＬＣＵＬＡＴＩＯＮドロップダウン１５０において計算を選択し、ＣＡＬＣＵＬＡＴＩＯＮ  ＵＮＩＴＳドロップダウン１６０においてその計算の単位を指定し、ＩＮＳＥＲＴ  ＣＡＬＣボタン１７０をクリックすることによって、ＣＡＬＣ領域１４０に予め定義された又は予め生成されたカスタムな計算を記号的に挿入することができる。
【００１５】
更に図３ｂを参照して、超音波診断士は、同様に、最初にＭＥＡＳＵＲＥＭＥＮＴドロップダウン１９０において測定を選択し、ＭＥＡＳＵＲＥＭＥＮＴ  ＰＡＲＡＭＥＴＥＲドロップダウン２００においてパラメータを選択し、ＭＥＡＳＵＲＥＭＥＮＴ  ＵＮＩＴＳドロップダウン２１０においてその測定の単位を指定し、ＩＮＳＥＲＴ  ＭＥＡＳボタン２２０をクリックすることによって、ＣＡＬＣ領域１４０に示されるカスタムな等式に、予め記憶されている測定を記号的に挿入することができる。超音波診断士は、ＵＮＩＴドロップダウン２３０及びＰＲＥＣＩＳＩＯＮドロップダウン２４０の夫々でこのように入力又は選択をすることによって、新しい計算の単位及び精度を選択しなければならない。次いで、超音波診断士は、ＮＥＸＴボタン１１０をクリックする。超音波診断士がＮＥＸＴボタン１１０をクリックした後に、しかし、次の画面が表示される前に、システムは、等式が有効であることを確認する。ＰＲＥＶＩＯＵＳボタン１３０は、超音波診断士が前の画面に戻って、本例では、実施中の計算のラベルを変更することを可能にする。上述されたように、ＣＡＮＣＥＬボタン１００は、手順全体を完全にキャンセルする働きをする。前のステップと同様に、この処理段階では等式を終了して記憶することはできず、従って、ＦＩＮＩＳＨボタン１２０は非アクティブである。等式が入力されて確認された後に、次のステップが、図３ｃに表されるように、表示される。
【００１６】
図３ｃは、カスタムな計算を生成する際の第３のステップを示す超音波画像画面を表す。本発明のこの例では、超音波診断士は、どこにカスタムな計算が現れて、検査の間又はレポート発生時に見られるかを指定することができる。図３ｃは、このような機能の１つの可能な例を表す。カスタムな計算は、ＲＥＳＵＬＴＳボックス又は最終レポートのいずれか一方又は両方に現れるようにされ得る。超音波診断士は、ＲＥＳＵＬＴＳチェックボックス２５０をチェックすることによって、計算結果をＲＥＳＵＬＴＳボックスに出現させることができる。同様に、超音波診断士が計算をレポートに出現させたい場合は、ＲＥＰＯＲＴチェックボックス２６０が選択されるべきである。チェックボックスの一方又は両方が選択されるまでは、ＮＥＸＴボタン１１０は無効となっている。これは、計算が、これらの２つの場所のうちの少なくとも１つに表示されるよう設定されなければならないからである。ＲＥＳＵＬＴＳチェックボックス２５０のみが選択された場合には、ＦＩＮＩＳＨボタン１２０はアクティブとなり、超音波診断士は、操作全体を即座に終了することができるようになる。ＲＥＰＯＲＴチェックボックス２６０が選択された場合には、次のステップで収集される更なる情報が超音波診断士から要求される。このため、ＦＩＮＩＳＨボタン１２０は、ＲＥＰＯＲＴチェックボックス２６０が選択された場合にはアクティブではない。ＰＲＥＶＩＯＵＳボタン１３０は、超音波診断士が前の画面に戻って変更することを可能にする。また、上述されたように、ＣＡＮＣＥＬボタン１００は、手順全体を完全にキャンセルする働きをする。
【００１７】
図３ｄは、本例における第４のステップを示す超音波画像画面を表す。この画面により、超音波診断士は、計算がレポート内で現れるべき場所を選択することが可能となる。超音波診断士は、ＬＯＣＡＴＩＯＮリスト２７０をスクロールして、適切な場所のチェックボックスを選択することによって、どこに計算が現れるべきかを選択する。１よりも多い場所が選択され得、計算は全てのこのような場所に現れる。ＬＯＣＡＴＩＯＮリスト２７０の内容は、どのようなレポートが生成されているかに依存する。どのようなレポートが生成されているかは、どのような検査が実施されているかに依存する。この画面は、計算が前のステップで表示されるよう指定された場合にのみ、超音波診断士に表示される。上述されたように、ＣＡＮＣＥＬボタン１００、ＮＥＸＴボタン１１０及びＰＲＥＶＩＯＵＳボタン１３０は全てアクティブであり、夫々、操作をキャンセルし、あるいは、次又は前のステップへ移動する働きをする。超音波診断士がＮＥＸＴボタン１１０又はＦＩＮＩＳＨボタン１２０のいずれか一方をクリックすると、システムは、ＬＯＣＡＴＩＯＮリスト２７０の中の少なくとも１つの場所が選択されたことを確認する。ユーザが１つも場所を選択していない場合は、ユーザは、少なくとも１つの場所を選択するか、あるいは、ＰＲＥＶＩＯＵＳボタン１３０をクリックして、前の画面に戻り、ＲＥＰＯＲＴチェックボックス２６０を非選択とする必要がある。ＦＩＮＩＳＨボタン１２０は、超音波診断士が操作を完了し、新しく生成された計算を記憶することを可能にする。ＮＥＸＴボタン１１０をクリックすることで、システムに、当該手順における次なる最後のステップを表示するよう命じることができる。
【００１８】
図３ｅは、本例における第５のステップを示す超音波画像画面を表す。この画面は、それまでのステップで入力された全ての情報を超音波診断士に表示し、計算を記憶する前に、情報が正しいことを超音波診断士が確認することを可能にする。ＣＡＬＣ領域１４０は、カスタムな等式を表示する。ＲＥＳＵＬＴＳチェックボックス３００は、計算がＲＥＳＵＬＴＳに現れるよう超音波診断士が指示したか否かを示す。ＰＲＥＣＩＳＩＯＮ領域２８０は、結果に関して超音波診断士が選択した精度を表示し、最終的に、ＬＯＣＡＴＩＯＮ  ＲＥＰＯＲＴ領域２９０は、計算が表されるところのレポート内の全ての場所を列挙する。当該手順のこの段階で、入力された全てのデータは、構文的に有効であることが確認されている。しかし、超音波診断士が、誤りを発見したり、あるいは、修正を行いたい場合がある。このような訂正を行うために、超音波診断士は、変更されるべき情報を含む以前のステップへ戻るべく、１又はそれ以上の回数、ＰＲＥＶＩＯＵＳボタン１３０をクリックする必要がある。例によって、ＣＡＮＣＥＬボタン１００は手順全体をキャンセルする。ＮＥＸＴボタン１１０は、これが当該手順における最後のステップであるため、このステップの間は非アクティブである。最後に、超音波診断士が全てのデータに満足する場合は、ＦＩＮＩＳＨボタン１２０が、計算をシステムに記憶するためにクリックされる。
【００１９】
カスタムな計算の生成は、特定の順序で行われる特定のステップに関して記載されたが、具体的な数のステップ及びそれらの順序は単なる例に過ぎないことは明らかである。本発明の他の例は、より多くの又はより少ないステップを含み、異なる順序で超音波診断士に提供され得る。例えば、図３ａに示されるＣＡＬＣラベル９０は、ステップ１で指定される必要はない。生成手順における他のステップは、超音波診断士が指定する特定のＣＡＬＣラベルとは無関係に進むことができる。従って、このステップは、当該手順のいずれにおいても起こり得る。
【００２０】
既存の計算を編集する手順は、新しい計算を生成する手順と極めて近い。例えば、超音波診断士は、システム画面上に表示されるリストから既存の計算を選択して、計算の編集を開始すべくＥＤＩＴボタンをクリックする。次いで、システムは、適切な領域に予め存在する既存の計算情報を含む適切なひと続きの画面を超音波診断士に提示する。次いで、超音波診断士は、この情報を変更して、その変更を保存する。
【００２１】
既存の計算を複製する手順は、編集又は精製の手順よりも短い。計算を複製する場合は、超音波診断士は、先の図３ａと同様に、結果として得られる複製のＣＡＬＣラベル９０を指定しさえすれば良い。複製は、ラベルが入力されて確認された後に、システムに記憶される。次いで、超音波診断士は、望むように複製に変更を施すよう、上記ステップを行うことができる。
【００２２】
前出の例は、単なる超音波情報の使用を表すが、他の患者情報及び他の医療機器からの情報が等式において使用され得ることは明らかである。例えば、体重、年齢、及び患者の月経周期のような患者データは、血圧又はヘマトクリット値のような、他の装置による測定からのデータと同じように、入力されて、等式において使用され得る。
【図面の簡単な説明】
【００２３】
【図１】本発明の一例に従う超音波画像化システムの等角図である。
【図２】図１の超音波画像化システムで使用される電気部品のブロック図である。
【図３ａ】本発明の一例としてカスタムな計算を行うための方法を表す。
【図３ｂ】本発明の一例としてカスタムな計算を行うための方法を表す。
【図３ｃ】本発明の一例としてカスタムな計算を行うための方法を表す。
【図３ｄ】本発明の一例としてカスタムな計算を行うための方法を表す。
【図３ｅ】本発明の一例としてカスタムな計算を行うための方法を表す。
【図１】
2009509614.tif 000003
【図２】
2009509614.tif 000004
【図３Ａ】
2009509614.tif 000005
【図３Ｂ】
2009509614.tif 000006
【図３Ｃ】
2009509614.tif 000007
【図３Ｄ】
2009509614.tif 000008
【図３Ｅ】
2009509614.tif 000009
【国際調査報告】
2009509614.tif 000010
2009509614.tif 000011
2009509614.tif 000012